(57)【要約】【課題】  手書き入力等の入力手段による用紙に記録した筆圧の窪みを再現する。【解決手段】  手書き入力などにより作成された入力文書を、平面データ及び立体データとして読み取る手段と、インパクト方式により立体データを、インクジェット方式により平面データをそれぞれ出力文書として生成する印刷手段を備える。【選択図】  図１
2010005931.tif 000002
【特許請求の範囲】
【請求項１】
用紙に記録された色情報を平面データとして、且つ筆圧による窪みを立体データとして読み取る入力処理手段と、該入力処理手段で読み取った平面データ及び立体データを記憶する記憶手段と、該記憶手段に記憶された平面データ及び立体データとにより筆圧情報を含む複製物を生成する印刷手段と、を有することを特徴とする印刷装置。
【請求項２】
前記印刷手段は、前記立体データを生成するインパクト方式ヘッドと、前記平面データを印刷生成するインクジェット方式ヘッドとを有することを特徴とする請求項１記載の印刷装置。
【請求項３】
前記記憶処理手段で記憶した平面データ及び立体データを、表示・コピー・切り出し・貼り付け処理する加工処理手段を有することを特徴とする請求項２記載の印刷装置。
【請求項４】
前記加工処理手段で加工処理された平面データ及び立体データを前記記憶手段に記憶する記憶処理手段を有することを特徴とする請求項３記載の印刷装置。
【発明の詳細な説明】
【技術分野】
【０００１】
本発明は、手書き等による筆圧を再現する印刷装置に関する。
【背景技術】
【０００２】
従来の印刷装置では、通常、入力されるデータは平面データであり、当該平面データを印刷していた。
【０００３】
例えば、筆圧再現用の濃淡データを有するフォントを印刷することが特許文献１に記載されている。
【０００４】
また、特許文献２のように筆圧検知機能付き入力ペンからのデータに応じて線画の幅を反映した印刷を行うことも知られている。
【０００５】
また、凹凸情報を読み取る画像読取装置として、特許文献３、特許文献４等が知られている。
【０００６】
【特許文献１】特開平５−２３８０６６号公報
【特許文献２】特開２００２−３１２１１３号公報
【特許文献３】特開２００５−３３１９３４号公報
【特許文献４】特開２００５−０７８３３５号公報
【発明の開示】
【発明が解決しようとする課題】
【０００７】
しかしながら、手書き入力等による入力手段を用いて作成した文書を複製する際、複写機等による従来の濃淡を付加した印刷処理だけでは、用紙に記録された筆圧が損なわれてしまい、同一文書の複製の再現としては十分ではなかった。
【０００８】
本発明の目的は、用紙に記憶された筆圧による窪みを再現可能な印刷装置を提供することにある。
【課題を解決するための手段】
【０００９】
上記課題を解決するため、本発明では、用紙に記録された色情報を平面データとして、且つ筆圧による窪みを立体データとして読み取る入力処理手段と、該入力処理手段で読み取った平面データ及び立体データを記憶する記憶手段と、該記憶手段に記憶された平面データ及び立体データとにより筆圧情報を含む複製物を生成する印刷手段と、を有することを特徴とする。
【００１０】
また、前記印刷手段は、前記立体データを生成するインパクト方式ヘッドと、前記平面データを印刷生成するインクジェット方式ヘッドとを有することを特徴とする。
【００１１】
また、前記記憶処理手段で記憶した平面データ及び立体データを、表示・コピー・切り出し・貼り付け処理する加工処理手段を有することを特徴とする。
【００１２】
さらに、前記加工処理手段で加工処理された平面データ及び立体データを前記記憶手段に記憶する記憶処理手段を有することを特徴とする。
【発明の効果】
【００１３】
本発明により、手書きによる筆圧で用紙に生じた窪みを再現した印刷複製物を出力できる。
【発明を実施するための最良の形態】
【００１４】
以下、本発明にかかる実施例を図面を参照して説明する。
【実施例１】
【００１５】
図１は、本発明に関する印刷装置の基本構成を示すブロック図である。
【００１６】
入力処理手段２は、色鉛筆やサインペン等の筆記具を用いて作成された入力文書１を、平面データ１０及び立体データ１１として読み取る。この入力処理手段２としては、凹凸情報読取スキャナ等、公知の技術を利用できる。
【００１７】
記憶処理手段３は、平面データ１０及び立体データ１１の関連付けを行い、読み取り結果９として記憶媒体４に記憶する。
【００１８】
印刷手段５は、入力処理手段２で読み取った平面データ１０及び立体データ１１、若しくは記憶媒体４に記憶されている読み取り結果９を、筆圧処理機能６及び、着色処理機能７により、出力文書８を印刷する。
【００１９】
加工処理手段１２は、記憶媒体４に既に記憶されている読み取り結果９を、読み出し機能３０でデータとして読み出し、表示機能２５で表示し、切り出し機能２６、コピー機能２７、貼り付け機能２８等で文書の加工を行い、加工処理後のデータを、保存機能２９で、記憶処理手段３により、記憶媒体４に記憶する。
【００２０】
次に、図２を用いて、本発明の入力処理手段２及び、記憶処理手段３について説明する。図２は、本発明のデータ読取処理及びデータ記憶処理を示した説明図である。入力文書１は、例えば、用紙に、人による手書きで作成されたものである。ここでは、用紙は葉書等の厚紙とした。
【００２１】
窪み１３は、入力文書１の一部を拡大し、用紙の側面（厚さ方向）から見たものである。入力文書１を入力処理手段２で読み取った結果が、平面データ１０としての縦座標１５並びに横座標１６並びに色１８であり、立体データ１１としての縦座標１５並びに横座標１６並びに筆圧１７である。
【００２２】
記憶処理手段３は、平面データ１０及び、立体データ１１の関連付けを行い、読み取り結果９として、ファイル化してＨＤＤ等の記憶媒体４に記憶する。
【００２３】
次に、本発明の印刷手段について説明する。図３は、本発明の印刷手段による印刷処理を示した説明図である。
【００２４】
本実施例では、印刷手段５として、インパクト方式及びインクジェット方式のヘッドを双方備える。インパクト方式ヘッドは、用紙に窪みを生じさせる目的で使用する。また、インクジェット方式ヘッドは、着色させる目的で用いる。
【００２５】
印刷手段５の筆圧処理機能６は、入力処理手段２で読み取った立体データ１１、若しくは記憶媒体４から読み出した読み取り結果９を元に、立体データ１１の縦座標１５及び横座標１６で示す座標位置に、立体データ１１の筆圧１７の値を使用して、インパクト方式により筆圧情報を用紙に形成する。これにより、筆圧１７による窪みのみを印刷することで筆圧情報が形成された出力文書１４を作成する。
【００２６】
着色処理機能７は、筆圧処理機能６が終了すると、平面データ１０の縦座標１５及び、横座標１６で示す座標位置に、インクジェット方式により色１８を着色する。
【００２７】
上記のように、本実施例においては、インパクト方式で印字後、インクジェット方式で印刷する。そのため、シリアル方式ヘッドの場合は、主走査方向において、インパクト方式ヘッド、インクジェット方式ヘッドの順に配置するのが好ましい。また、ライン型ヘッドの場合、用紙搬送上流側にインパクト方式ヘッド、その下流にインクジェット方式ヘッドを配置する。なお、ライン型ヘッド方式においては、用紙を一時的に静止させた上でライン型ヘッドを移動させる構成でも構わない。
【００２８】
次に、記憶処理手段３によって記憶媒体４に記憶される、読み取り結果９の加工処理手段１２について説明する。図４は、加工処理手段１２による加工処理を示した説明図である。
【００２９】
加工処理手段１２は、入力処理手段２で読み取った画像データを編集する機能を有しており、具体的には、表示機能２５、切り出し機能２６、コピー機能２７、貼り付け機能２８、保存機能２９、読み出し機能３０を備えている。以下、各機能について説明する。
【００３０】
読み出し機能３０は、記憶媒体４に記憶されている読み取り結果を読み出す機能である。表示機能２５は、記憶媒体４から読み出したデータを文書として表示手段（図示せず）に表示する機能である。切り出し機能２６は、操作手段（図示せず）から入力された編集情報に基づき、文書の一部を切り取り、切り出し文書を作成する機能である。コピー機能２７は、文書データをコピーする機能である。貼り付け機能２８は、文書データに、切り出し文書を貼り付ける機能である。保存機能２９は、記憶処理手段３を使用して、加工処理済データ２４を記憶媒体４に記憶保存する機能である。
【００３１】
例えば、ユーザによる読み取り結果の編集処理を考える。記憶媒体４に記憶されている読み取り結果のデータのリストを表示手段に表示し、操作手段からのユーザの入力値によりユーザが編集したい少なくとも一つのデータが特定される。そして、読み出し機能３０により、記憶手段４から読み取り結果Ａ１９及び読み取り結果Ｂ２０が読み出される。次に、表示機能２５により、読み取り結果Ａ１９及び読み取り結果Ｂ２０を、文書Ａ２２及び文書Ｂ２３として表示する。次に、操作手段からの入力により、編集処理（切り出し機能２６、コピー機能２７、貼り付け機能２８）が適宜行われる。切り出し機能２６により、文書Ａ２２の一部を切り取り、切り出し文書３１が作成される。コピー機能２７により、文書Ｂ２３がコピーされる。貼り付け機能２８により、コピーされた文書Ｂ２３に、切り出し文書３１が貼り付けられる。これにより、加工データ２４が作成される。編集処理後のデータは、保存機能２９により、読み取り結果Ｃ２１として記憶媒体４に記憶される。
【００３２】
本発明は、手書き入力等の入力手段を用いた文書の筆圧を記憶し、再現した印刷が可能となる。また、文書データの一部にのみ筆圧を再現した印刷をしても良い。
【図面の簡単な説明】
【００３３】
【図１】本発明の基本構成を示したブロック図である。
【図２】本発明のデータ読み取り処理及び、データ記憶処理を示した説明図である。
【図３】本発明の印刷処理を示した説明図である。
【図４】本発明の加工処理を示した説明図である。
【符号の説明】
【００３４】
１：入力文書、２：入力処理手段、３：記憶処理手段、４：記憶媒体、５：印刷手段、６：筆圧処理機能、７：着色処理機能、８：出力文書、９：読み取り結果（記憶データ）、１０：平面データ、１１：立体データ、１２：加工処理手段、１３：窪み、１４：筆圧処理の出力文書、１５：縦座標、１６：横座標、１７：筆圧、１８：色、１９：読み取り結果Ａ、２０：読み取り結果Ｂ、２１：読み取り結果Ｃ、２２：文書Ａ、２３：文書Ｂ、２４：加工データ、２５：表示機能、２６：切り出し機能、２７：コピー機能、２８：貼り付け機能、２９：保存機能、３０：読み出し機能、３１：切り出し文書。
【図１】
2010005931.tif 000003
【図２】
2010005931.tif 000004
【図３】
2010005931.tif 000005
【図４】
2010005931.tif 000006